(57)【要約】【課題】性質が異なる発光体を用いて各々の性質を生かすことで、多様な発光態様を実現することが可能な遊技機用発光装置を提供すること。【解決手段】本発明の遊技機用発光装置２１は、発光体支持部材３１、第１発光体３７、複数の第２発光体３８を備える。第１発光体３７は、発光体支持部材３１に設けられる。第２発光体３８は、発光体支持部材３１において第１発光体３７の近傍かつその周囲に設けられ、第１発光体３７と性質が異なるものである。なお、発光体支持部材３１を基板とし、第１発光体３７を１つの小型電球とし、複数の第２発光体３８を複数の発光ダイオードとすることがよい。【選択図】  図２
2005021360.tif 000002
【特許請求の範囲】
【請求項１】
発光体支持部材と、前記発光体支持部材に設けられた第１発光体と、前記発光体支持部材において前記第１発光体の近傍かつその周囲に設けられ、前記第１発光体と性質が異なる複数の第２発光体とを備えたことを特徴とする遊技機用発光装置。
【請求項２】
前記発光体支持部材は回路基板であり、前記第１発光体は１つの小型電球であり、前記複数の第２発光体は複数の発光ダイオードであることを特徴とする請求項１に記載の遊技機用発光装置。
【請求項３】
前記第１発光体及び前記複数の第２発光体の前側に、光拡散処理を施した保護部材を設けたことを特徴とする請求項１または２に記載の遊技機用発光装置。
【請求項４】
内面が光反射面になっている筒部を有し、前記発光体支持部材が取り付けられる被取付部材を備えるとともに、前記筒部の内側に前記第１発光体を配置し、前記筒部の後側開口付近に前記複数の第２発光体を前記筒部の前側開口を向けて配置し、前記筒部の前側開口に前記保護部材を配置したことを特徴とする請求項３に記載の遊技機用発光装置。
【請求項５】
前記発光体支持部材に前記第１発光体を着脱可能に設け、前記保護部材に第１係止部を設け、前記筒部の前側開口付近に前記第１係止部が係止可能な第２係止部を設け、前記第１係止部及び第２係止部とを互いに係止したことを特徴とする請求項４に記載の遊技機用発光装置。
【請求項６】
前記複数の第２発光体は、発光色が異なる複数の発光ダイオードであることを特徴とする請求項１乃至５のいずれか１項に記載の遊技機用発光装置。
【発明の詳細な説明】
【０００１】
【発明の属する技術分野】
本発明は、パチンコ機やスロット機などの遊技機に用いられる発光装置に関するものである。
【０００２】
【従来の技術】
近年のパチンコ機においては、遊技演出の一環として発光演出を行うために、遊技盤や前枠などに各種の発光装置を設けている。そして、この種の遊技機用発光装置としては、例えば、基板上に複数の小型電球（ランプ）を設けた装置（例えば、特許文献１参照）や、基板上に複数の発光ダイオードを設けた装置（例えば、特許文献２参照）などが従来提案されている。
【０００３】
【特許文献１】
特開平５−３０９１５９号公報（段落［００１１］等参照）
【０００４】
【特許文献２】
特開２００３−２４５２２号公報（段落［００１８］［００１９］等参照）
【０００５】
【発明が解決しようとする課題】
ところで、フィラメントを使用している小型電球は、一般的に、１）光度が強い、２）照射角が広い、等といった有利な性質を有している。一方、発光ダイオードは、１）指向性が強い、２）消費電力が少ない、３）寿命が長い、４）複数種類の色（例えば赤、緑、青）がある、５）小型化が容易、等といった有利な性質を有している。従って、例えば全体を明るく照らしたいような場合には、通常、小型電球を備える特許文献１記載の発光装置が使用される。一方、綺麗に発光装飾したいような場合には、通常、発光ダイオードを備える特許文献２記載の発光装置が使用される。
【０００６】
しかしながら、小型電球及び発光ダイオードは、ともに電気エネルギーを光エネルギーに変換する発光体であるという点で共通しているが、用途についてはそれぞれ異なっている。そのため、従来のパチンコ機においては、１つの基板上に性質が異なる発光体（小型電球及び発光ダイオードの両方）を設けた発光装置は、未だ具体的に提案されていなかった。
【０００７】
また、小型電球のみを備える特許文献１記載の発光装置や、発光ダイオードのみを備える特許文献２記載の発光装置では、いずれも多様な発光態様を実現することが難しかった。よって、遊技者の興趣向上につながる発光演出を十分に行うことが可能な発光装置に対するニーズがあった。
【０００８】
本発明は上記の課題に鑑みてなされたものであり、その目的は、性質が異なる発光体を用いて各々の性質を生かすことで、多様な発光態様を実現することが可能な遊技機用発光装置を提供することにある。
【０００９】
【課題を解決するための手段】
上記の課題を解決するために、請求項１に記載の発明は、発光体支持部材と、前記発光体支持部材に設けられた第１発光体と、前記発光体支持部材において前記第１発光体の近傍かつその周囲に設けられ、前記第１発光体と性質が異なる複数の第２発光体とを備えたことを特徴とする遊技機用発光装置をその要旨とする。
【００１０】
従って、請求項１に記載の発明によると、性質が異なる第１発光体及び第２発光体を用いて構成された発光装置であるため、第１発光体と第２発光体とを適宜組み合わせて発光させることにより、各々の性質を生かした多様な発光態様を実現することができる。つまり、第１発光体及び第２発光体の互いの長所を生かすことで相乗的な効果を得ることができる。なお、第２発光体を第１発光体の「近傍」に設けた構造であるので、例えば第１発光体及び第２発光体を同時に点灯することにより、第１発光体及び第２発光体の光を容易に混ぜ合せることができる。同様に、複数の第２発光体を同時に点灯することにより、複数の第２発光体の光を容易に混ぜ合せることができる。また、複数の第２発光体を第１発光体の「周囲」に設けた構造であるので、例えば第２発光体を順番に点灯させることにより、第１発光体を中心として光が回転するように見える回転発光演出を実現することができる。
【００１１】
ここで、第２発光体は２つ以上の任意の数であれば足りるが、回転発光演出をスムーズに行いたいような場合には３つ以上にすることが望ましい。なお、複数の第２発光体を第１発光体の周囲に設ける場合、第１発光体を中心として各第２発光体がほぼ等しい角度をなすように設定することが好ましい。
【００１２】
前記発光体支持部材は、第１発光体及び複数の第２発光体を同じ面にて支持可能なものであればよく、その形状等については特に限定されない。なお、発光体支持部材の好適例としては例えば基板を挙げることができ、特に電気回路（回路パターン）を有する回路基板を使用することが好ましい。その理由は、回路基板であれば各発光体に対して電気を供給することができるからである。
【００１３】
本発明の遊技機用発光装置は、遊技機における任意の箇所に設置されることが可能であるが、好ましくは遊技者にとって見やすい遊技機前面に設置されることがよい。この場合、好適な態様としては、遊技機用発光装置を遊技盤面内に設置した態様や、遊技機用発光装置を前枠前面に設置した態様、遊技機用発光装置を打球発射用ハンドルユニットに設置した態様などを挙げることができる。なお、遊技機用発光装置を遊技盤面内に設置した態様を採用した場合、遊技盤面内にある既存の構造物（装飾役物、センター役物、入賞装置など）に遊技機用発光装置を取り付けてもよい。即ち、遊技盤面内にある既存の構造物を、発光体支持部材が取り付けられる被取付部材としてもよい。このような構造であると、部品点数の増加を回避でき、その分だけ遊技盤面内の煩雑化を回避することができる。また、遊技機用発光装置を遊技盤面内に設置した態様の場合、遊技者が遊技中に発光体の光を見やすいというメリットがある。
【００１４】
前記第１発光体及び前記第２発光体としては、電気エネルギーを光エネルギーに変換する任意の発光体のうちから、任意に選択することが可能である。ここで、かかる発光体の例としては、エネルギー変換部としてフィラメント等のような抵抗体の発熱発光現象を利用した小型電球（ランプ）がある。このほかにも好適な発光体として、放電現象を利用した蛍光管や、エレクトロルミネッセンス現象を利用したエレクトロルミネッセンス素子（ＥＬ素子）、半導体の性質を利用した発光ダイオード（ＬＥＤ）などを挙げることができる。ただし、第１発光体及び第２発光体は、互いに性質が異なるものである必要がある。従って、例えば、第１発光体として小型電球を選択したような場合には、第２発光体として蛍光管、ＥＬ素子または発光ダイオード等を選択すべきである。第１発光体として蛍光管を選択したような場合には、第２発光体として小型電球、ＥＬ素子または発光ダイオード等を選択すべきである。この場合、相対的に数多く設けられる第２発光体は、第１発光体よりも小型かつ低消費電力であることが好ましい。
【００１５】
請求項２に記載の発明は、請求項１において、前記発光体支持部材は回路基板であり、前記第１発光体は１つの小型電球であり、前記複数の第２発光体は複数の発光ダイオードであることをその要旨とする。
【００１６】
従って、請求項２に記載の発明によると、小型電球及び発光ダイオードを用いて構成された発光装置であるため、小型電球と発光ダイオードとを適宜組み合わせて発光させることにより、各々の性質を生かした多様な発光態様を実現することができる。小型電球には強光度、広照射角等の利点がある一方、発光ダイオードには高指向性、低消費電力、長寿命、色彩豊富、小型化容易等の利点があるため、上記発明の構成によれば互いの長所を生かすことで相乗的な効果を得ることができる。なお、発光ダイオードを小型電球の「近傍」に設けた構造であるので、例えば小型電球及び発光ダイオードを同時に点灯することにより、小型電球及び発光ダイオードの光を容易に混ぜ合せることができる。同様に、複数の発光ダイオードを同時に点灯することにより、複数の発光ダイオードの光を容易に混ぜ合せることができる。また、複数の発光ダイオードを小型電球の「周囲」に設けた構造であるので、例えば発光ダイオードを順番に点灯させることにより、小型電球を中心として光が回転するように見える回転発光演出を実現することができる。
【００１７】
さらに、発光ダイオードは比較的消費電力が少ないため、１つの小型電球を用いかつ複数の発光ダイオードを用いた本発明によれば、装置全体としての消費電力を少なく抑えることができる。また、発光ダイオードは小型電球に比べて小型化が容易であるため、１つの小型電球を用いかつ複数の発光ダイオードを用いた本発明によれば、装置全体としての大型化も抑えることができる。また、個々の発光ダイオードは光度が弱いとは言うものの、発光ダイオードを複数設けていることから、例えばそれらを同時に発光させることにより、強い光度の光を得ることも可能である。
【００１８】
請求項３に記載の発明は、請求項１または２において、前記第１発光体及び前記複数の第２発光体の前側に、光拡散処理を施した保護部材を設けたことをその要旨とする。
【００１９】
従って、請求項３に記載の発明によると、第１発光体及び複数の第２発光体の前側に光拡散処理を施した保護部材を設けたことにより、異なる発光体が発した光を拡散してそれらを確実に混ぜ合わせることができ、それゆえ発光装飾効果を高めることが可能である。特に、複数の第２発光体が複数の発光ダイオードであるような場合には、指向性が強くて照射角が狭いという性質があり、そのままでは光を確実に混ぜ合せることが困難である。その点、本発明によれば上記の保護部材を設けたことにより、指向性が強くて照射角が狭い光が拡散される結果、複数の発光ダイオードの光を確実に混ぜ合わせることができる。また、例えば発光装置を遊技盤面に設けたような場合には、第１発光体や第２発光体に遊技球が当って破損するおそれがあるが、保護部材を設けた本発明によれば第１発光体や第２発光体を確実に保護することができる。
【００２０】
前記保護部材は、透光性を有する材料（例えば樹脂やガラス等）によって形成されることが好ましく、特に割れにくい光透過性樹脂によって形成されることが好適である。保護部材の光透過部は、表面が平坦であっても、湾曲していても（レンズ状であっても）よい。強いて言うと、前記保護部材の光透過部は凸型レンズ状であることが好適であり、この場合には第１発光体及び第２発光体の光を効率よく集光することができ、さらには効率よく光を混ぜ合わせることができる。
【００２１】
保護部材の光透過部に施される光拡散処理としては特に限定されないが、例えば、保護部材の光透過部の表面に微細な凹凸を設ける加工（ディンプル加工、シボ加工、溝加工、サンドブラスト加工、ショットブラスト加工など）を行うことがよい。保護部材の光透過部には複数種類の光拡散処理が施されていてもよい。この構成によれば、光がより複雑に拡散されるため、単一の光拡散処理では得られない面白い光演出効果を醸し出すことが可能となる。その具体例としては、保護部材の光透過部における片面にディンプル加工とシボ加工とを施したものなどを例示することができる。
【００２２】
請求項４に記載の発明は、請求項３において、内面が光反射面になっている筒部を有し、前記発光体支持部材が取り付けられる被取付部材を備えるとともに、前記筒部の内側に前記第１発光体を配置し、前記筒部の後側開口付近に前記複数の第２発光体を前記筒部の前側開口を向けて配置し、前記筒部の前側開口に前記保護部材を配置したことをその要旨とする。
【００２３】
従って、請求項４に記載の発明によると、第１発光体及び複数の第２発光体の発した光は、筒部の内面によって反射される。このため、確実に光を集めて筒部の前側開口の方向に進ませることができ、結果として強い光を得やすくなる。また、光は筒部の内面に反射されることによっても拡散されるため、上記の保護部材との相乗効果により、複数の発光ダイオードの光をより確実に混ぜ合わせることができる。
【００２４】
ここで、内面が光反射面になっている筒部の具体例としては、例えば、鉄やアルミニウム等の金属材料からなる筒部を例示することができる。そのほか、軽量化及び低コスト化の観点からすれば、樹脂材料によって形成された筒部の内面にメタリック塗装を施したものや、樹脂材料によって形成された筒部の内面にめっきを施したもの等が好適である。
【００２５】
さらに、筒部の長さは限定されないが、１０ｍｍ以上であることが好ましい。このような長さに設定しておけば、光を拡散しつつ反射するのに十分な面積を確保することができる。第１発光体及び複数の第２発光体は、第１発光体を中心とする直径２５ｍｍ以下の仮想円内の領域に配置されていることが好ましい。この構成によれば、各発光体の離間距離が小さくなり、互いに極めて近接した状態となる。ゆえに、複数の発光体の光を比較的容易に混ぜ合わせることが可能となる。筒部の内径は限定されないが、少なくとも前記仮想円よりも若干大きい程度であることがよく、具体的には３０ｍｍ以下、さらには２５ｍｍ以下であることが好ましい。内径をこの範囲に設定しておけば、大型化を伴わずに、第１発光体及び複数の第２発光体を筒部に対して無理なく設置することが可能となる。
【００２６】
請求項５に記載の発明は、請求項４において、前記発光体支持部材に前記第１発光体を着脱可能に設け、前記保護部材に第１係止部を設け、前記筒部の前側開口付近に前記第１係止部が係止可能な第２係止部を設け、前記第１係止部及び第２係止部とを互いに係止したことをその要旨とする。
【００２７】
従って、請求項５に記載の発明によると、保護部材を前面側から取り外すことができるため、例えば第１発光体である小型電球が切れたような場合であっても、その切れた小型電球を容易に新しいものに交換することができ、メインテナンス性を向上させることができる。
【００２８】
この場合、前記第１係止部及び第２係止部に対してネジを挿通させて両者を締結することにより、前記筒部と前記保護部材との確実な固定を図るようにしてもよい。また、第１係止部、第２係止部及びネジの前面側を覆う低粘着性のシールを貼り付けるようにしてもよい。上記のような構成であれば、低粘着性のシールを剥がしてネジを露出させた後、ネジを外すことにより、保護部材を前面側から取り外すことができる。また、ネジがシールによって覆われることで隠されるため、遊技機の意匠性の低下も防止することができる。かかる低粘着性のシールは、被取付部材における筒部の前側開口付近のデザインに近似したものであることがよい。
【００２９】
前記発光体支持部材に前記第１発光体を着脱可能に設けた構成としては、例えば、発光体支持部材上に固定されたソケットに第１発光体である小型電球の基端部を嵌着、螺着等した構成を例示することができる。かかる小型電球は、その先端部が筒部の前側開口から突出した状態で配置されていることがよい。この構成によると、小型電球の先端部を把持しやすくなるので、切れた小型電球を交換する作業をいっそう容易に行うことが可能となる。
【００３０】
請求項６に記載の発明は、請求項１乃至５のいずれか１項において、前記複数の第２発光体は、発光色が異なる複数の発光ダイオードであることをその要旨とする。
【００３１】
従って、請求項６に記載の発明によると、発光色が異なる複数の発光ダイオードを含んで構成されているため、発光色が異なる複数の発光ダイオードを任意に組み合わせて発光させることにより、複数の発光色を得ることができる。
【００３２】
本発明の発光装置は、前記複数の第２発光体として、赤色発光ダイオード、緑色発光ダイオード及び青色発光ダイオードを備えていることが好ましい。この構成によると、赤色、緑色、青色という、いわゆる光の三原色に対応した３種類の発光ダイオードを任意に組み合わせて（混ぜ合わせて）発光させることにより、多様な発光色（例えば、紫色、黄色、橙色、水色、桃色など）を得ることができる。なお、赤色発光ダイオード、緑色発光ダイオード及び青色発光ダイオードを全て同時に発光させれば、白色の光を得ることもできる。
【００３３】
また、前記複数の発光ダイオードとして、複数の赤色発光ダイオード、複数の緑色発光ダイオード及び複数の青色発光ダイオードを、それぞれ同数ずつ備えていることが好ましい。その理由は、例えば、赤色、緑色、青色の各々について、小型電球を中心とした回転発光演出を実現することが可能となるからである。しかも、このような構成であれば、多様な発光色を得やすくなるからである。
【００３４】
さらに、前記複数の発光ダイオードは、１つの小型電球を中心として円形状にかつ略等間隔に配列されていることが好ましい。従って、この構成によると、小型電球を中心とした回転発光演出を効果的に行うことができる。
【００３５】
また、前記小型電球及び前記複数の発光ダイオードの発光態様を制御する発光制御手段を用い、その発光制御手段によって、発光色が異なる複数の発光ダイオードを組み合わせて同時に発光させる制御を行うようにしてもよい。
【００３６】
従って、発光制御手段によって発光色が異なる複数の発光ダイオードを組み合わせて同時に発光させることにより、複数の発光色を得ることができる。
【００３７】
【発明の実施の形態】
［第１の実施形態］
【００３８】
以下、本発明を具体化した一実施形態のパチンコ機用発光装置２１（以下、単に「発光装置２１」とする。）を図１〜図８に基づき詳細に説明する。図１は、本実施形態の発光装置２１を備えるパチンコ機の遊技盤１１を示す正面図である。図２は、発光装置２１を示す分解斜視図である。図３は、発光装置２１を示す要部拡大正面図である。図４は、レンズカバーユニット４１を示す分解断面図である。図５は、小型電球３７及び複数の発光ダイオード３８を取り付けた回路基板３１を示す正面図である。図６は、センター役物２２に前記回路基板３１を取り付ける前の状態を示す要部側面図である。図７は、センター役物２２に前記回路基板３１及びレンズカバーユニット４１を取り付けた状態を示す要部側断面図である。図８は、パチンコ機におけり電気的構成を示すブロック図である。
【００３９】
図１に示される遊技盤１１は、略正方形状の外形を有しており、その前面側の中央部には略円形状の遊技領域１２が設定されている。遊技領域は、円弧状に湾曲形成されたレール１３によって部分的に囲まれている。この遊技盤１１は、始動入賞具１４、図柄表示部である液晶式図柄表示装置１５、普通案内車１６、大型電動式の入賞装置１７、電飾装置１８、センター役物（大型装飾部品）２２等を遊技領域１２内に備えている。図示していないが、遊技領域１２のほぼ全域には釘が打ち付けられている。
【００４０】
始動入賞具１４は、遊技領域１２の中央部下方寄りの位置に配設されている。始動入賞具１４内に配設された図示しない始動スイッチは、始動入賞具１４内に入った各セーフ球の検出毎に液晶式図柄表示装置１５を１回ずつ作動スタートさせる。その結果、液晶式図柄表示装置１５にて図柄組み合わせゲームが展開されるようになっている。液晶式図柄表示装置１５は始動入賞具１４のすぐ上方の位置（即ち遊技領域１２の略中央部に配置されており、枠状に形成されたセンター役物２２はその液晶式図柄表示装置１５を取り囲むようにして配置されている。なお、本実施形態のセンター役物２２は、遊技盤１１を装飾する役割を有するばかりでなく、回路基板３１（発光体支持部材）が取り付けられる被取付部としての役割も有している。即ち、かかるセンター役物２２は、回路基板３１等とともに発光装置２１の一部を構成している部材である。
【００４１】
風車とも称される普通案内車１６は、遊技球の流下方向を任意に変向する役割を果たすものであって、センター役物２２の両脇において左右対称に配設されている。
【００４２】
大型電動式の入賞装置１７は始動入賞具１４の直下に配設されている。入賞装置１７には、液晶式図柄表示装置１５の大当り成立時に対する特別遊技状態として、開成作動条件が付与される。入賞装置１７は特別入賞口１７ａ及び扉状の開閉板１７ｂを有している。前記開閉板１７ｂは、前記開成作動条件が付与されたことに基づき、図示しない電磁ソレノイドにより通常の閉鎖状態から開放状態に変化するように構成されている。特別入賞口１７ａの後側内部には、セーフ球用のカウントスイッチ（図示略）と、開放作動継続用の特別スイッチ（図示略）とが組み込まれている。なお、入賞装置１７の直下の位置（即ち遊技領域１２の中央部最下部付近）には、アウト球が入り込むアウト口２０が形成されている。
【００４３】
電飾装置（サイドランプ）１８は、遊技状態に応じて照射パターンが変更制御される小型電球（図示略）を内部に備えており、遊技領域の左右両側に一対配設されている。ただし、これらの電飾装置１８は、１種類の発光体のみ（即ち小型電球のみ）を用いて構成された、従来からある発光装置であるため、本発明を具体化した発光装置に係るものではない。
【００４４】
次に、本実施形態の発光装置２１について説明する。被取付部材であるセンター役物２２は、枠状樹脂成形品の表面にめっきを施して金属光沢を付与した部材である。図２，図３等に示されるように、センター役物２２における上部右側の部位には、中央部に開口部２３を有する円形状平坦領域２４が設けられている。円形状平坦領域２４の裏面側には、開口部２３に連通する長さ１０ｍｍの筒部２５が突設されている。筒部２５の内径は約２０ｍｍに設定されている。筒部２５はセンター役物２２と一体成形されているため、その内面２５ａ及び外面にはめっきが施されている。ゆえに、筒部２５の内面２５ａは、金属光沢を有する光反射面となっている。筒部２５の後側開口の下部には、センター役物２２を遊技盤１１に取り付ける際の便宜を図るために、切欠２７が形成されている（図６，図７参照）。
【００４５】
図２，図３，図６等に示されるように、円形状平坦領域２４の裏面側において筒部２５の周囲には、発光体支持部材である回路基板３１を支持するための４本のボス２６が突設されている。これらボス２６もセンター役物２２と一体成形されている。
【００４６】
図２，図３，図５，図６，図７に示されるように、本実施形態の回路基板３１は板状の部材であって、片方の面または両方の面には銅パターンからなる電気回路が形成されている。回路基板３１における４箇所には、ボス２６の先端に取り付けられるボス取付部３５が形成されている。回路基板３１の裏面３３にはメス型コネクタ３４が設けられている。このメス型コネクタ３４には、別の基板に接続する配線ケーブルの先端に設けられたオス型コネクタ（いずれも図示略）が装着されるようになっている。一方、回路基板３１の表面３２における略中央部には電球用ソケット３６がはんだ付けによって固定され、その電球用ソケット３６には第１発光体である小型電球３７が着脱可能に螺着されている。回路基板３１の表面３２において小型電球３７の近傍かつその周囲には、４個の発光ダイオード３８が配置されている。本実施形態では、４個の発光ダイオード３８の発光色は等しくていずれも赤色である。これら発光ダイオード３８は、回路基板３１に対して直にはんだ付けされている。
【００４７】
図５に示されるように、小型電球３７の中心Ｏ１を基準とする直径１８ｍｍの仮想円Ｃ１内の領域に配置されている。なお、小型電球３７の中心Ｏ１から各発光ダイオード３８の中心までの距離は、いずれも等しく７ｍｍ程度に設定されている。つまり、１個の小型電球３７及び４個の発光ダイオード３８は、互いに極めて近接した状態で配置されている。また、図５等に示されるように、４個の発光ダイオード３８は、小型電球３７の中心Ｏ１を基準として互いに９０°をなす位置関係にある。これら発光ダイオード３８は、具体的には、時計における１時半、４時半、７時半、１０時半の位置にそれぞれ設けられている。よって、小型電球３７は４個の発光ダイオード３８により取り囲まれている。ここでは説明の便宜上、１時半の位置にある発光ダイオード３８に「Ｒ１」という符号を、４時半の位置にある発光ダイオード３８に「Ｒ２」という符号を、７時半の位置にある発光ダイオード３８に「Ｒ３」という符号を、１０時半の位置にある発光ダイオード３８に「Ｒ４」という符号を、それぞれ付している。
【００４８】
そして、上記構成の回路基板３１を４本のボス２６に対して支持固定したときには、小型電球３７は全体的に筒部２５の内側に配置される。ただし、小型電球３７の先端部については、筒部２５の前側開口から数ｍｍほど突出している（図７参照）。よって、小型電球３７の交換の際には当該小型電球３７の先端部を容易に把持することができる。一方、４個の発光ダイオード３８は、筒部２５の内側ではないが筒部２５の後側開口付近に配置される。このとき、各発光ダイオード３８は、その先端部が筒部２５の前側開口（即ち遊技者側）を向くようにして配置される。
【００４９】
図２，図４，図７等に示されるように、本実施形態の発光装置２１は、光拡散処理を施した保護部材であるレンズカバーユニット４１を備えている。このレンズカバーユニット４１は、基本的に３つの部材（レンズカバー本体４２、内カバー４３及び外カバー４４）を重ね合わせることにより構成されている。レンズカバー本体４２は光透過性樹脂からなる樹脂成形品であって、光透過部に凸型レンズ部４２ａを有している。凸型レンズ部４２ａの裏面には、２種類の光拡散処理（具体的にはディンプル加工とシボ加工と）が施されている。このような２種類の光拡散処理を施した場合、光がより複雑に拡散されるため、単一の光拡散処理では得られない面白い光演出効果を醸し出すことが可能となる。内カバー４３は貫通孔４３ｂを有する筒状の樹脂成形品であって、その表面全体にはめっきが施されている。よって、内カバー４３の内面４３ａは、上記筒部２５と同様に光反射面となっている。内カバー４３はレンズカバー本体４２を覆う状態でその外側に配置される。図７に示す組み立て完了後の状態では、凸型レンズ部４２ａは内カバー４３の貫通孔４３ｂを介して露出するようになっている。外カバー４４は貫通孔４４ａを有する樹脂成形品であって、カバー上端部及びカバー下端部にはそれぞれ第１係止部としての上側係止片４４ｂ及び下側係止片４４ｃが突設されている。外カバー４４は、内カバー４３及びレンズカバー本体４２を覆う状態でそれらの外側に配置される。図７に示す組み立て完了後の状態では、内カバー４３の前端は外カバー４４の貫通孔４４ａに嵌合するようになっている。なお、レンズカバー本体４２、内カバー４３及び外カバー４４は図示しないネジを用いて互いに固定されている。また、本実施形態のレンズカバーユニット４１は中央部に銃口を有する銃を模したデザインとなっている。具体的には、内カバー４３及びレンズカバー本体４２の部分が銃口に該当したデザインとなっていて、外カバー４４が銃の本体に該当したデザインとなっている。
【００５０】
図２，図３，図４等に示されるように、上側係止片４４ｂは略Ｌ字状に形成されている。一方、下側係止片４４ｃは上側係止片４４ｂよりも大きく形成されるとともに、図示しないネジを挿通するためのネジ挿通穴４４ｄが設けられている。図３に示されるように、センター役物２２の円形状平坦領域２４の表面側においてその上端には、第２係止部としての上側係止凹部２４ｂが形成されている。この上側係止凹部２４ｂに対しては上側係止片４４ｂが係脱可能になっている。センター役物２２の円形状平坦領域２４の表面側においてその下端には、第２係止部としての下側係止凹部２４ｃが形成されている。この下側係止凹部２４ｃに対しては下側係止片４４ｃが係脱可能になっている。下側係止凹部２４ｃにはネジ挿通穴２４ａが設けられている。
【００５１】
ここで、レンズカバーユニット４１の取り付け手順について述べる。まず、レンズカバーユニット４１を円形状平坦領域２４の表面側に配置する。このとき、下側係止凹部２４ｃに下側係止片４４ｃを係止させておく。次に、レンズカバーユニット４１を図３の反時計回りに若干回動させ、上側係止凹部２４ｂに上側係止片４４ｂを係止させる。その結果、レンズカバーユニット４１が筒部２５の前側開口近傍の位置に対して仮固定されるとともに、２つのネジ挿通穴２４ａ，４４ｄの位置が一致してそこにネジを挿通可能な状態となる。そして、前記２つのネジ挿通穴２４ａ，４４ｄにネジを挿通して締結することにより、レンズカバーユニット４１が筒部２５の前側開口近傍の位置に対して確実に固定される。さらに、下側係止凹部２４ｃ及び下側係止片４４ｃのある箇所に、図２に示されるような形状の樹脂製シールＳ１を貼り付ける。この樹脂製シールＳ１は、下側係止凹部２４ｃ、下側係止片４４ｃ及びネジのある箇所を覆い隠すための可撓性部材であって、貼り付け・引き剥がしを繰り返し行うことが可能なように粘着力を低めに設定してある。なお、この樹脂製シールＳ１には、円形状平坦領域２４の付近のデザインに近似させるべく、金属光沢が付与されている。樹脂製シールＳ１を貼り付けると、ネジ等が露出しなくなるので、パチンコ機の意匠性の低下を防止することができる。
【００５２】
次に、図８に基づいて本実施形態の発光装置２１を制御する構成について説明する。このパチンコ機は、パチンコ機全体を制御する主制御基板５０を備えている。主制御基板５０は、パチンコ機全体を制御するための各種処理を実行し、その処理結果に応じて各種の制御コマンドを演算処理するようになっている。そして、主制御基板５０は、前記制御コマンドを所定の制御信号として各サブ制御基板に向けて出力するようになっている。なお、主制御基板５０はメインＣＰＵ５０ａ、ＲＯＭ５０ｂ及びＲＡＭ５０ｃを備えている。
【００５３】
また、このパチンコ機は、サブ制御基板の１つとして発光制御基板５１を備えている。発光制御手段である発光制御基板５１は、主制御基板５０からの制御信号に基づいて、１個の小型電球３７及び４個の発光ダイオード３８の発光態様を制御する役割を有している。本実施形態の発光制御基板５１は、サブＣＰＵ５１ａ、ＲＯＭ５１ｂ、ＲＡＭ５１ｃ及びインターフェース部５２を備えている。発光制御基板５１のＲＯＭ５１ｂには、複数種類の発光演出用の演出実行データ（発光演出パターン）が記憶されている。ＲＡＭ５１ｃには、パチンコ機の動作中に適宜書き換えられる各種の情報が一時的に記憶（設定）されるようになっている。そして、ＲＯＭ５１ｂには、１つの実行パターンについて１つの発光演出パターンが対応付けられて記憶されている。メインＣＰＵ５０ａから実行パターンを示す制御コマンドが入力されると、サブＣＰＵ５１ａは、それに対応する発光演出用パターンを選択し、その選択した発光演出用パターンに基づいて所定の発光制御を実行するようになっている。より詳しくは、発光制御基板５１は、選択した発光演出用パターンのデータを発光制御信号に変換し、インターフェース部５２を介して、１個の小型電球３７及び４個の発光ダイオード３８に出力する。その結果、１個の小型電球３７及び４個の発光ダイオード３８が、発光制御信号に基づき点灯（点滅）または消灯するようになっている。なお、発光制御基板５１と回路基板３１とは、前記メス型コネクタ３４を介して電気的に接続されている。
【００５４】
ここで、本実施形態における発光制御の態様を、いくつか具体例を挙げて説明する。
【００５５】
例えば、発光演出パターンＰ１として、発光ダイオード３８を１個ずつ順次低速で点灯・消灯させて、光が低速で旋回しているような演出（低速回転発光演出）を行うことが規定されている。例えば、発光ダイオード３８をＲ１→Ｒ２→Ｒ３→Ｒ４の順序で１個ずつ順次低速で点灯・消灯させれば、光が低速で時計回りに旋回しているような演出を行うことができる。勿論、発光ダイオード３８をＲ４→Ｒ３→Ｒ２→Ｒ１の順序で点灯・消灯させてもよい。
【００５６】
また、発光演出パターンＰ２として、発光ダイオード３８を１個ずつ順次高速で点灯・消灯させて、光が高速で旋回しているような演出（高速回転発光演出）を行うことが規定されている。例えば、発光ダイオード３８をＲ１→Ｒ２→Ｒ３→Ｒ４の順序で１個ずつ順次高速で点灯・消灯させれば、光が高速で時計回りに旋回しているような演出を行うことができる。勿論、発光ダイオード３８をＲ４→Ｒ３→Ｒ２→Ｒ１の順序で点灯・消灯させてもよい。
【００５７】
また、発光演出パターンＰ３として、全部の発光ダイオード３８を低速で点灯・消灯させる演出（点滅演出）を行うことが規定されている。
【００５８】
また、発光演出パターンＰ４として、全部の発光ダイオード３８を高速で点灯・消灯させる演出（フラッシュ演出）を行うことが規定されている。
【００５９】
また、発光演出パターンＰ５として、小型電球３７を低速で点灯・消灯させる演出（点滅演出）を行うことが規定されている。
【００６０】
また、発光演出パターンＰ６として、小型電球３７を高速で点灯・消灯させる演出（フラッシュ演出）を行うことが規定されている。
【００６１】
また、発光演出パターンＰ７として、小型電球３７の光度を徐々に上げていき徐々に下げていく演出（階調発光演出）を行うことが規定されている。
【００６２】
なお、上記の発光演出パターンＰ１〜Ｐ７のいずれかを単独で行うばかりでなく、これら発光演出パターンＰ１〜Ｐ７を複数任意に組み合わせてなる複雑な発光演出パターンを行うようにしてもよい。その例を挙げると、まず、各発光ダイオード３８の低速回転発光演出（Ｐ１）を行った後、徐々に点灯・消灯の速度を上げて高速回転発光演出（Ｐ２）に移行する。高速回転発光演出を行っている際には、併せて小型電球３７の階調発光演出（Ｐ７）を行う。そして、最後に全部の発光ダイオード３８と小型電球３７とを点灯させ、一連の発光演出を終了する。上記一連の発光演出パターンであると、銃にエネルギーが徐々にチャージされる様子、さらにはチャージ量が最高値に達して銃口から一気にビームが発射される様子を上手く表現することが可能となる。
【００６３】
従って、本実施形態によれば以下の効果を得ることができる。
【００６４】
（１）本実施形態の発光装置２１は、性質が異なる第１発光体及び第２発光体を用いて構成され、具体的には１個の小型電球３７及び４個の発光ダイオード３８を用いて構成されている。従って、小型電球３７及び発光ダイオード３８を適宜組み合わせて発光させることにより、各々の性質を生かした多様な発光態様を実現することができる。つまり、第１発光体である小型電球３７の長所、第２発光体である発光ダイオード３８の長所を生かすことで、相乗的な効果を得ることができる。それゆえ、遊技者の興趣向上につながる発光演出を十分に行うことが可能な発光装置２１を実現することができる。
【００６５】
（２）なお、発光ダイオード３８を小型電球３７の「近傍」に設けた構造であるので、発光ダイオード３８及び小型電球３７を同時に点灯することにより、それらの光を容易に混ぜ合せることができる。同様に、複数の発光ダイオード３８を同時に点灯することにより、それらの光を容易に混ぜ合せることができる（発光演出パターンＰ３，Ｐ４参照）。
【００６６】
（３）また、発光ダイオード３８を小型電球３７の「周囲」に設けた構造であるので、発光ダイオード３８を順番に点灯させることにより、小型電球３７を中心として光が回転するように見える回転発光演出を実現することができる（発光演出パターンＰ１，Ｐ２参照）。
【００６７】
（４）さらに、発光ダイオード３８は比較的消費電力が少ないため、１個の小型電球３７と４個の発光ダイオード３８とを用いた本実施形態の発光装置２１によれば、装置全体としての消費電力を少なく抑えることができる。また、発光ダイオード３８は概して小型電球３７に比べて小型であるため、１個の小型電球３７と４個の発光ダイオード３８を用いた本実施形態の発光装置２１によれば、装置全体としての大型化も抑えることができる。また、個々の発光ダイオード３８は光度が弱いとは言うものの、それらを複数個設けて同時に発光させれば、小型電球３７に匹敵する強い光度を得ることが可能である（発光演出パターンＰ３，Ｐ４参照）。
【００６８】
（５）本実施形態の発光装置２１では、小型電球３７及び複数の発光ダイオード３８の前側に、光拡散処理を施したレンズカバーユニット４１（保護部材）が設けられている。発光ダイオード３８には、指向性が強くて照射角が狭いという性質があり、そのままでは光を確実に混ぜ合せることが困難である。その点、本実施形態によれば、レンズカバーユニット４１を設置したことによって、レンズカバーユニット４１を通過する際に光が拡散されるため、４個の発光ダイオード３８の光を確実に混ぜ合わせることができる（発光演出パターンＰ３，Ｐ４参照）。それゆえ、この構成によれば発光装飾効果を高めることができる。また、本実施形態では発光装置２１を遊技領域１２内に設けているが、レンズカバーユニット４１を設置したことによって、小型電球３７及び発光ダイオード３８が確実に保護される。従って、小型電球３７及び発光ダイオード３８に遊技球が直接当らなくなり、小型電球３７及び発光ダイオード３８の破損が防止される。
【００６９】
（６）本実施形態では、１個の小型電球３７及び４個の発光ダイオード３８を取り付けた回路基板３１を、被取付部材であるセンター役物２２の表面側に対して取り付けている。そして、内面２５ａが光反射面になっている筒部２５の内側に小型電球３７を配置し、当該筒部２５の後側開口付近に各発光ダイオード３８を配置している。一方、センター役物２２の裏面側にはレンズカバーユニット４１を設けている。従って、小型電球３７及び発光ダイオード３８の発した光は、筒部２５の内面２５ａによって反射される。このため、確実に光を集めて筒部２５の前側開口の方向（即ち遊技者に向かう方向）に進ませることができ、結果として強い光を得やすくなる。また、光は筒部２５の内面２５ａに反射されることによっても拡散されるため、上記のレンズカバーユニット４１との相乗効果により、４個の発光ダイオード３８の光をより確実に混ぜ合わせることができる（発光演出パターンＰ３，Ｐ４参照）。
【００７０】
（７）本実施形態のレンズカバーユニット４１は、センター役物２２の所定部分に対して前面側からネジ止め固定されており、前面側から取り外すことが可能である。ゆえに、小型電球３７のフィラメントが切れたような場合であっても、その小型電球３７を容易に新しいものに交換することができる。しかも、小型電球３７の先端部が筒部２５の前側開口から突出しているため、小型電球３７の交換時にその先端部を前面側から指先で容易に把持することができる。よって、この構成によればメインテナンス性を向上させることができる。
［第２の実施形態］
【００７１】
次に、図９に基づいて第２の実施形態のパチンコ機用発光装置２１について説明する。なお、第１の実施形態と共通している構成については、同一の部材番号を付す代わりに、その詳細な説明を省略する。
【００７２】
図９に示されるように、本実施形態では、回路基板３１の表面３２に１個の小型電球３７が配置されるともに、その近傍かつ周囲に１２個の発光ダイオード３８が配置されている。つまり、第１の実施形態のときと比較して発光ダイオード３８の数が多くなっている。１２個の発光ダイオード３８のうち、４個が赤色発光ダイオード３８、４個が緑色発光ダイオード３８、４個が青色発光ダイオード３８である。つまり、本実施形態の発光装置２１は赤色、緑色、青色という、いわゆる光の三原色に対応した３種類の発光ダイオード３８を同数ずつ含んで構成されている。
【００７３】
１２個の発光ダイオード３８は、小型電球３７の中心Ｏ１を基準として互いに３０°をなす位置関係にある。具体的にいうと、赤色発光ダイオード３８は、時計における１時、４時、７時、１０時の位置にそれぞれ配置されている。図９において前記赤色発光ダイオード３８には、説明の便宜上、Ｒ１，Ｒ２，Ｒ３，Ｒ４という符号を付している。緑色発光ダイオード３８は、時計における２時、５時、８時、１１時の位置にそれぞれ配置されている。図９において前記緑色発光ダイオード３８には、説明の便宜上、Ｇ１，Ｇ２，Ｇ３，Ｇ４という符号を付している。青色発光ダイオード３８は、時計における３時、６時、９時、１２時の位置にそれぞれ配置されている。図９において前記青色発光ダイオード３８には、説明の便宜上、Ｂ１，Ｂ２，Ｂ３，Ｂ４という符号を付している。
【００７４】
上記構成の発光装置２１は、発光制御手段である発光制御基板５１を介して主制御基板５０に接続されている。従って、主制御基板５０から所定の制御信号を入力した場合、発光制御基板５１は、その制御信号に基づいて１個の小型電球３７及び１２個の発光ダイオード３８の発光態様を制御するようになっている。
【００７５】
ここで、本実施形態における発光制御の態様を、いくつか具体例を挙げて説明する。
【００７６】
例えば、発光演出パターンＰ１として、発光ダイオード３８を所定個ずつ順次低速で点灯・消灯させて、光が低速で旋回しているような演出（低速回転発光演出）を行うことが規定されている。より具体的にいうと、例えば、発光演出パターンＰ１−Ｒとして、赤色発光ダイオード３８のみをＲ１→Ｒ２→Ｒ３→Ｒ４の順序で１個ずつ順次低速で点灯・消灯させれば、赤色光が低速で時計回りに旋回しているような演出を行うことができる。また、発光演出パターンＰ１−Ｇとして、緑色発光ダイオード３８のみをＧ１→Ｇ２→Ｇ３→Ｇ４の順序で１個ずつ順次低速で点灯・消灯させれば、緑色光が低速で時計回りに旋回しているような演出を行うことができる。また、発光演出パターンＰ１−Ｂとして、青色発光ダイオード３８のみをＢ１→Ｂ２→Ｂ３→Ｂ４の順序で１個ずつ順次低速で点灯・消灯させれば、青色光が低速で時計回りに旋回しているような演出を行うことができる。なお、発光順序を上記と逆に設定すれば、赤色光、緑色光または青色光を反時計回りに回転させることができる。
【００７７】
さらに、例えば、発光演出パターンＰ１−Ｒ，Ｂとして、赤色発光ダイオード３８及び青色発光ダイオード３８を、Ｒ１とＢ１→Ｒ２とＢ２→Ｒ３とＢ３→Ｒ４とＢ４の順序で２個ずつ同時に順次低速で点灯・消灯させれば、桃色光が低速で時計回りに旋回しているような演出を行うことができる。また、発光演出パターンＰ１−Ｇ，Ｂとして、緑色発光ダイオード３８及び青色発光ダイオード３８を、Ｇ１とＢ１→Ｇ２とＢ２→Ｇ３とＢ３→Ｇ４とＢ４の順序で２個ずつ同時に順次低速で点灯・消灯させれば、水色光が低速で時計回りに旋回しているような演出を行うことができる。また、発光演出パターンＰ１−Ｒ，Ｇとして、赤色発光ダイオード３８及び緑色発光ダイオード３８を、Ｒ１とＧ１→Ｒ２とＧ２→Ｒ３とＧ３→Ｒ４とＧ４の順序で２個ずつ同時に順次低速で点灯・消灯させれば、黄色光が低速で時計回りに旋回しているような演出を行うことができる。また、発光演出パターンＰ１−Ｒ，Ｇ，Ｂとして、赤色発光ダイオード３８、緑色発光ダイオード３８及び青色発光ダイオード３８を、Ｒ１とＧ１とＢ１→Ｒ２とＧ２とＢ２→Ｒ３とＧ３とＢ３→Ｒ４とＧ４とＢ４の順序で３個ずつ同時に順次低速で点灯・消灯させれば、白色光が低速で時計回りに旋回しているような演出を行うことができる。
【００７８】
なお、上記のような回転発光演出において点灯・消灯の速度を上げれば、高速回転発光演出とすることが可能である。また、複数の発光ダイオード３８を適宜組み合わせて低速でそれらを同時に点灯・消灯させれば、様々な発光色による多彩な点滅演出を行うことが可能である。複数の発光ダイオード３８を適宜組み合わせて高速でそれらを同時に点灯・消灯させれば、様々な発光色による多彩なフラッシュ演出を行うことが可能である。
【００７９】
従って、本実施形態においても上記第１の実施形態と同様の作用効果を奏することができる。特に本実施形態によれば、いわゆる光の三原色に対応した３種類の発光ダイオード３８を含んで構成されているため、多様な発光色を得ることができるという利点がある。また、単色（赤色、緑色、青色）の発光ダイオード３８の光を混ぜ合わせて別の光を得る本実施形態の場合、とりわけレンズカバーユニット４１を使用することが有効である。即ち、レンズカバーユニット４１があると、異なる色の光を確実に混ぜ合せることができ、発色性がよくなるからである。
【００８０】
なお、本発明の実施形態は以下のように変更してもよい。
【００８１】
・上記実施形態では、発光制御基板５１を発光制御手段として機能させていたが、勿論このような構成に限定されることはない。例えば、主制御基板５０と発光装置２１とを直接接続して、主制御基板５０に発光装置２１の発光制御を行わせる構成にすることもできる。
【００８２】
・上記実施形態では３つの部材からなるレンズカバーユニット４１を使用していたが、これに代えて単一の部材からなるレンズカバーを使用してもよい。また、レンズカバーユニット４１のレンズカバー本体４２に対する光拡散処理として、ディンプル加工のみまたはシボ加工のみを施すようにしてもよい。
【００８３】
・上記実施形態において使用した可撓性を有する樹脂製シールＳ１に代え、可撓性を有しない薄板を貼り付けるようにしても構わない。また、樹脂製シールＳ１は必須ではないので省略してもよい。
【００８４】
・上記実施形態では、回路基板３１及びレンズカバーユニット４１をセンター役物２２における上部右側の部位に設けていたが、勿論これに限定されることはなく、それらをセンター役物２２における他の部位に設けるようにしてもよい。この場合、回路基板３１及びレンズカバーユニット４１をセンター役物２２における異なる複数の箇所に設けることも可能である。さらに、回路基板３１及びレンズカバーユニット４１を、センター役物２２以外の部材に設けるようにしても構わない。
【００８５】
次に、特許請求の範囲に記載された技術的思想のほかに、前述した実施形態によって把握される技術的思想を以下に列挙する。
【００８６】
（１）前記発光体支持部材は電気回路を有する回路基板であり、前記第１発光体は１つの小型電球であり、前記複数の第２発光体は３つ以上の発光ダイオードであることを特徴とする請求項１に記載の遊技機用発光装置。
【００８７】
（２）前記保護部材は凸型レンズ状の光透過部を有するとともに、その光透過部には複数種類の光拡散処理が施されていることを特徴とする請求項３乃至６のいずれか１項に記載の遊技機用発光装置。
【００８８】
（３）前記保護部材は凸型レンズ状の光透過部を有するとともに、その光透過部の裏面にはディンプル加工及びシボ加工による光拡散処理が施されていることを特徴とする請求項３乃至６のいずれか１項に記載の遊技機用発光装置。
【００８９】
（４）前記第１発光体である前記小型電球の先端部は、前記筒部の前側開口よりも遊技者側に位置していることを特徴とする請求項５に記載の遊技機用発光装置。
【００９０】
（５）前記筒部の長さは１０ｍｍ以上であり、前記筒部の内径は３０ｍｍ以下であり、前記第１発光体及び前記複数の第２発光体は前記第１発光体を中心とする直径２５ｍｍ以下の仮想円内の領域に配置されていることを特徴とする請求項４に記載の遊技機用発光装置。
【００９１】
（６）前記発光体支持部材に前記第１発光体を着脱可能に設け、前記保護部材に係止片を突設し、前記筒部の前側開口に前記係止片を係止させてネジを挿通することにより前記筒部に前記係止片を固定し、さらに前記係止片の前面側を覆うようにして低粘着性のシールを貼り付けたことを特徴とする請求項４または５に記載の遊技機用発光装置。
【００９２】
（７）前記複数の第２発光体として、赤色発光ダイオード、緑色発光ダイオード及び青色発光ダイオードを備えることを特徴とする請求項１乃至６のいずれか１項に記載の遊技機用発光装置。
【００９３】
（８）前記複数の第２発光体として、複数の赤色発光ダイオード、複数の緑色発光ダイオード及び複数の青色発光ダイオードを同数ずつ備えることを特徴とする請求項１乃至６のいずれか１項に記載の遊技機用発光装置。
【００９４】
（９）前記第１発光体及び前記複数の第２発光体の発光態様を制御する発光制御手段を設けたことを特徴とする請求項１乃至６のいずれか１項に記載の遊技機用発光装置。
【００９５】
【発明の効果】
以上詳述したように、請求項１〜６に記載の発明によれば、性質が異なる発光体を用いて各々の性質を生かすことで、多様な発光態様を実現することが可能な遊技機用発光装置を提供することができる。
【図面の簡単な説明】
【図１】本発明を具体化した第１の実施形態のパチンコ機用発光装置を備えるパチンコ機の遊技盤を示す正面図。
【図２】前記パチンコ機用発光装置を示す分解斜視図。
【図３】前記パチンコ機用発光装置を示す要部拡大正面図。
【図４】レンズカバーユニットを示す分解断面図。
【図５】小型電球及び複数の発光ダイオードを取り付けた回路基板を示す正面図。
【図６】センター役物に前記回路基板を取り付ける前の状態を示す要部側面図。
【図７】センター役物に前記回路基板及びレンズカバーユニットを取り付けた状態を示す要部側断面図。
【図８】前記パチンコ機における電気的構成を示すブロック図。
【図９】第２の実施形態において、小型電球及び複数の発光ダイオードを取り付けた回路基板を示す正面図。
【符号の説明】
２１…遊技機用発光装置としてのパチンコ機用発光装置
２２…被取付部材としてのセンター役物
２４ｂ，２４ｃ…第２係止部としての係止凹部
２５…筒部
３１…発光体支持部材としての回路基板
３７…第１発光体としての小型電球
３８…第２発光体としての発光ダイオード
４１…保護部材としてのレンズカバーユニット
４４ｂ，４４ｃ…第１係止部としての係止片
【図１】
2005021360.tif 000003
【図２】
2005021360.tif 000004
【図３】
2005021360.tif 000005
【図４】
2005021360.tif 000006
【図５】
2005021360.tif 000007
【図６】
2005021360.tif 000008
【図７】
2005021360.tif 000009
【図８】
2005021360.tif 000010
【図９】
2005021360.tif 000011